(57)【要約】【課題】  老齢のペットや病弱のペットなどの垂れ流しをするペットに装着し、ペットの自力では外れにくく、かつ飼い主による糞尿の処理作業が簡便な、しかも飼い主の経済的な負担を軽減できるおむつカバーを提供する。【解決手段】  シート状部材のおむつカバー１で、腹側部分４、尻尾挿通孔６を有する臀側部分７、背側部分５、腹側部分４から延びる左右の胴ベルト８、腹側部分の先端中央からペットの肩側を経てペットの背側に当てられる左右の肩ベルト６を有し、おむつカバー１は、ペットの背側で着脱自在に連結する胴ベルト連結部９ａ、９ｂ、胴ベルト連結部に着脱自在に連結する腹側部分連結部１２ａ、１２ｂ、背側部分５の先端に着脱可能に連結する肩ベルト連結部１３ａ、１３ｂをそれぞれ有し、これらのシート状部材の臀側部分７および腹側部分４の内面を吸水性シート１７のおむつの装着部としている。【選択図】        図１
0003120378.tif 000002
【実用新案登録請求の範囲】
【請求項１】
犬や猫（以下、「ペット」という。）に適用するおむつカバーにおいて、全体として「士」の字形からなり、該字形の縦画をペットの腹側に当てられる腹側部分およびペットの背側に当てられる背側部分とし、かつその縦画の中央部をペットの後脚の股間および臀側に当てられ背側部分に隣接する位置に尻尾挿通用孔を有する臀側部分とし、該字形の上部横画を腹側部分の左右側縁からペットの胴回りに当てられる左右の胴ベルトとし、該字形の下部横画を背側部分の先端の幅広部とした形状からなるシート状部材をおむつカバー本体に構成し、該おむつカバー本体の腹側部分の先端中央に２本の肩ベルトを形成し、ペットの背側で着脱自在に連結する胴ベルト連結部を左右の胴ベルトの先端部に形成し、胴ベルト連結部に着脱自在に連結する背側部分連結部をシート状部材の背側部分の先端部に形成し、シート状部材の背側部分の先端中央部に着脱自在に連結する肩ベルト連結部をシート状部材の腹側部分の先端からペットの左右の肩側を経てペットの背側に掛け回した２本の肩ベルトの先端部に形成し、シート状部材の臀側部分および腹側部分の内面を吸水性シートからなるおむつの装着部としたことを特徴とするペット用おむつカバー。
【請求項２】
左右の肩ベルトはペットの背側で交差して連結する長さを有することを特徴とする請求項１に記載のペット用おむつカバー。
【請求項３】
左右の胴ベルト連結部、シート状部材の背側部分の先端の連結部、および、肩ベルト連結部のそれぞれは、平面ファスナーあるいはホック、スナップからなることを特徴する請求項１または２に記載のペット用おむつカバー。
【請求項４】
おむつカバー本体のシート状部材は透水性の外側表面シートと内側表面シートの２重構造部からなり、該２重構造部の間の一部区域に非透水性の内部シートを具備せしめたことを特徴とする請求項１〜３のいずれか１項に記載のペット用おむつカバー。
【請求項５】
シート状部材の臀側部分は左右の外縁部に弾性材を装着して伸縮可能な伸縮部に形成されていることを特徴とする請求項１〜４のいずれか１項に記載のペット用おむつカバー。
【考案の詳細な説明】
【技術分野】
【０００１】
本考案は四足を有するペット動物（以下、「ペット」という。）のおむつカバー、特に犬あるいは猫など老齢で身体の不自由なペットのおむつカバーに関するものである。
【背景技術】
【０００２】
家庭で飼育している犬あるいは猫などのペットにおいて、老齢や病気などにより身体の不自由なペットは、それらのおもらしが住居内の衛生上の問題となっている。そこで、ペット用の紙おむつやおむつカバーなどが種々考案されている（例えば、特許文献１、特許文献２、特許文献３参照。）。
【０００３】
しかし、これらの考案のペットの胴回りのみに固定して取り付けるおむつやおむつカバーでは、ペットが動くことによりずれたり、ペットが違和感を覚えて自力で外してしまうことが問題となる。これに対して、胸当てや首まわりを結ぶひもを有する紙おむつが考案されている（例えば、特許文献４参照。）。
【０００４】
さらに、四足で立った状態で動き回るペットに対しては、後脚を通すパンツタイプのものが出願されている（例えば、特許文献５参照。）。しかし、このタイプのものは、臀部を開放状態のままとして覆われていないので、糞便は外に排出され周囲は汚され、その処理作業に負担が掛かる。しかも、このタイプのものはペットに装着する際に後脚を通す必要があるので、装着に手間取りおむつの交換が負担となる。
【０００５】
また、上記したような市販のペット用の紙おむつは、頻繁に交換すると経済的な負担が大きい。上記したおむつカバーであっても、専用の紙おむつを使用するタイプであり、やはり経済的に負担となる。
【０００６】
【特許文献１】特開平７−２４６０３６号公報
【特許文献２】登録実用新案第３０１９２２３号公報
【特許文献３】登録実用新案第３１１５２５９号公報
【特許文献４】登録実用新案第３０９４８６０号公報
【特許文献５】特開２００２−２３８３９４号公報
【考案の開示】
【考案が解決しようとする課題】
【０００７】
本考案の解決しようとする課題は、老齢のペットや病弱のペットなどの垂れ流しをするペットに装着し、ペットの自力では外れにくく、かつ飼い主による糞尿の処理作業が簡便な、しかも飼い主の経済的な負担を軽減できるおむつカバーを提供することにある。
【課題を解決するための手段】
【０００８】
上記の課題を解決するための本考案の手段は、請求項１の手段では、全体として「士」の字形をしたシート状部材からなるおむつカバー本体と肩ベルトから構成され、該字形の縦画をペットの腹側に当てられる腹側部分と、ペットの後脚の股間および臀側に当てられ尻尾を通す尻尾挿通孔を有する臀側部分と、ペットの背側に当てられる背側部分からなり、該字形の上部横画を腹側部分の左右側縁からペットの胴回りに当てられる左右の胴ベルトからなり、該字形の下部横画を背側部分の先端の幅広部からなり、腹側部分の先端中央からペットの肩側を経てペットの背側に当てられる左右の肩ベルトからなる。さらにペット用おむつカバーは、左右の胴ベルトの先端部にペットの背側で着脱自在に連結する胴ベルト連結部を形成し、背側部分の先端部に胴ベルト連結部に着脱自在に連結する腹側部分連結部を形成し、シート状部材の背側部分の先端に着脱可能に連結する肩ベルト連結部を左右の肩ベルトの先端部にそれぞれ形成し、さらにこれらのシート状部材の臀側部分および腹側部分の内部を吸水性シートからなるおむつの装着部としている。
【０００９】
請求項２の手段では、左右の肩ベルトはペットの背側で交差して連結する長さを有することを特徴とする請求項１の手段のペット用おむつカバーである。
【００１０】
請求項３の手段では、左右の胴ベルト連結部、シート状部材の背側部分の先端の連結部、および、肩ベルト連結部のそれぞれは、平面ファスナーあるいはホック、スナップからなることを特徴する請求項１または２の手段のペット用おむつカバーである。
【００１１】
請求項４の手段では、おむつカバー本体のシート状部材は透水性の外側表面シートと内側表面シートの２重構造部からなり、該２重構造部の間の一部区域に非透水性の内部シートを具備せしめたことを特徴とする請求項１〜３のいずれか１項の手段のペット用おむつカバーである。
【００１２】
請求項５の手段では、シート状部材の臀側部分は左右の外縁部に弾性材を装着して伸縮可能な伸縮部に形成されていることを特徴とする請求項１〜４のいずれか１項の手段のペット用おむつカバーである。
【００１３】
上記の手段のペット用おむつカバーをペットへ装着する際は、はじめにシート状部材の腹側部分の側縁の左右の胴ベルトをペットの胴回りに掛け回し、その先端部の胴ベルト連結部をペットの背側で互いを連結してペットの胴回りに固定してシート状部材の腹側部をペットの腹側に取り付ける。次に、臀側部分の尻尾挿通用孔にペットの尻尾を挿通して後脚の股間および臀側に臀側部分を当て、シート状部材の背側部分をペットの背側に被せ、背側部分の先端部の連結部を胴ベルト連結部に連結する。この係止でシート状部材の腹側部分と臀側部分と背側部分のそれぞれの左右の側縁によりペットの後脚の挿通用孔が形成される。さらに、シート状部材の腹側部分の先端中央の２本の肩ベルトをペットの前脚の間から左右のペットの肩部に振り分けて掛け、それぞれの肩ベルトの先端に形成の肩ベルト連結部をシート状部材の背側部分の先端の連結部に連結する。この場合、請求項２の手段の左右の肩ベルトをペットの背側で交差させてから連結することで、肩ベルトのずれおよびはずれが防止できる。この肩ベルトの係止によりペットの前脚用の脚抜き穴が形成され、ペット用おむつカバーの取り付けが終了する。この取付けにおいては、臀側部分から腹側部分にかけてのペットの肌に面する内側表面の内部に予め交換可能な吸水性シートを装着しておく。この吸水性シートは少なくとも一部分をペット用おむつカバーから露出した状態で取り付けると、その湿り具合から交換時期が分かりやすい。
【００１４】
吸水性シートを交換する際には、先ず、肩ベルトの連結部および背側部分の連結部をはずしてシート状部材の背側部分から臀側部分までを緩め、次いで、胴ベルト連結部を連結した状態として、腹側部分および臀側部分に装着の使用済みの吸水性シートを抜き出し、新しい吸水性シートと装着して交換する。その際にペットの腹部および肛門の周辺などを拭って清浄にする。
【００１５】
本考案で使用する吸水性シートには、市販の女性用の吸水性ポリマーを包含させた生理用ナプキンを利用する。この他に市販の吸水性ポリマーを含有する尿パッドを使用することもできる。
【００１６】
胴ベルト先端の胴ベルト結合部や、シート状部材の背側部分の連結部や、肩ベルトの先端部の肩ベルト連結部は平面ファスナーを設けて結合や係止を自在とし、さらに平面ファスナーに代えて、ホックやスナップなどを取付けて結合や係止を自在とし、ペットから装着の違和感を軽減し、動きを妨げないものとしている。
【００１７】
ペットの動きを妨げないために、シート状部材の素材には、綿ジャージなどの伸縮性があり、厚すぎない素材が好ましい。糞尿の漏れを防止するために、シート状部材を透水性のある綿ジャージなどの外側表面シートと内側表面シートの２重構造部からなるものとし、これらの２重構造部の間の一部すなわち腹側部から臀部に掛けての部分に例えばポリエチレンの不透水性の内部シートとすることが好ましい。
【００１８】
さらに内側表面シートの左右の外縁部の一部分を外側表面シートと縫合することなく、スリットを設けて開けておくと、女性用の吸水性ポリマーを包含させた生理用ナプキンで実用化されているずれ防止用の羽の差込み口として利用できるので、このようなスリットの形成が好ましい。
【００１９】
ペットのサイズの違いに対する対応と糞尿の漏れを防止するために、股間から臀部にかけての左右両側の外縁部にゴム紐などの弾性材を取り付け、伸縮可能な伸縮部とすることが好ましい。
【考案の効果】
【００２０】
本考案の手段は、ペット用のおむつカバーは肩ベルトを有するので、ペットからおむつカバーがずれ落ちたり、あるいは外れたりすることが防止でき、さらに肩ベルトを背側で交差して連結するものとしたものは、ペットの動きを妨げることなく、一層におむつカバーがずれ落ちや外れを防止でき、さらに背側部分連結部や肩ベルト連結部や胴ベルト連結部はすべてペットの背側にあるので、ペットの自力で外しにくく、ずれにくく、さらにおむつカバーはペットの腹側部分の大部分を覆っているので、雌雄を問わず排泄物の漏れを防ぐことができる。さらに、シート状部材の外側表面シートと内側表面シートからなる２重構造部の少なくとも一部分に、例えばポリエチレンからなる不透水性の内部シートを備え、腹側部分および臀側部分の左右両側の外縁部に、ゴム紐などの弾性材を取り付けて外縁部を伸縮可能な伸縮部に形成しているので、糞尿の漏れを一層に防止する。さらにシート状部材を外側表面シートと内側表面シートからなる２重構造として両シート間にスリットを開口し、スリットに女性の生理用ナプキンに実用化されているずれ防止用の羽を装着しうるものとしたので、吸水性シートの高いずれ防止効果を得ることができる。さらに尻尾のみを通すだけで、脚を通す必要なく装着できるので、装着が非常にし易い。
【００２１】
吸水性シートを交換する際には、肩ベルト連結部および背側連結部をはずして行うが、この場合、おむつカバー全体は胴ベルトにより装着されたまま、ペットの後脚を抜くことなく、腹側部分まで開くことができるので、吸水性シートを容易に交換でき、またペットの肛門周辺などの清浄も容易にできる。これらによって、飼い主のペットの糞尿処理作業の負担が軽減できる。さらに吸水性シートを交換して使い捨てとするが、おむつカバー本体は使い捨てすることなく使用するため、排便排尿の都度に全部を交換する紙おむつよりも経済的負担が軽く、また女性の生理用ナプキンの使用の他に人間用の尿パッドを利用することも可能で、選択の幅が広がり利便性も高い。さらに老齢や病気のペットのおもらし対策用としてだけでなく、メスのペットの生理用パンツとしても使用できるなど、本考案は優れた効果を奏するものである。
【考案を実施するための最良の形態】
【００２２】
以下、本考案の実施の形態を添付図面を参照して説明する。図１は本考案に係るおむつカバーの外側表面を模式的に示す平面図である。図２は図１のおむつカバーの内側表面を模式的に示す平面図で、（ａ）はおむつカバーのみを示し、（ｂ）はおむつの吸水性シートを装着した状態を示す図である。図３はペットの犬へ装着した状態を示す図である。図４はおむつ交換のために肩ベルト連結部および背側連結部をはずした状態を示す図である。図５はペットの背側から見た装着説明図で、（ａ）は胴ベルトを結合した図で、（ｂ）は背側部分を係止した図で、（ｃ）は肩ベルト連結部を係止して装着を終了した状態を示す図である。
【００２３】
図１に示すように、おむつカバー１は、全体として「士」の字形をしたシート状部材２と２本の肩ベルト３ａ、３ｂで構成されており、ペットへ装着した状態において、ペットの腹側に当てられる腹側部分４、ペットの背側に当てられる背側部分５、ペットの後脚の間の股間に当てられ背側部分５に隣接する位置にペットの尻尾挿通孔６が形成されている臀側部分７、腹側部分４の左右側縁から延びる左右の胴ベルト８によって構成されている。
【００２４】
左右の各胴ベルト８の先端側には、ペットの背側において互いに重ねて着脱可能に連結する１組の外側面の胴ベルト連結部９ａと内側面の胴ベルト連結部、９ｂが図１および図２に示すように形成されている。図１に示す外側面の胴ベルト８の先端と図２に示す内側面の背側部分５の先端の左右には、それぞれが対応して着脱可能に連結される２組の胴ベルト連結部１０ａ、１０ｂ（図１）と背側部分連結部１１ａ、１１ｂ（図２）が取り付けられている。さらに背側部分５と肩ベルト３ａ、３ｂには、それぞれが対応して着脱可能に連結される２組の背側部分連結部１２ａ、１２ｂ（図１）と肩ベルト連結部１３ａ、１３ｂ（図２）が取り付けられている。
【００２５】
胴ベルト連結部９ａ、９ｂ、胴ベルト連結部１０ａ、１０ｂおよび背側部分連結部１１ａ、１１ｂの各連結部材には平面ファスナー（例えば、登録商標：マジックテープ）を用いている。
【００２６】
背側部分連結部１２ａ、１２ｂおよび肩ベルト連結部１３ａ、１３ｂの連結部材としてはスナップあるいはホック用いている。もちろん、これらも平面ファスナーとすることもできる。
【００２７】
外側表面シート２ａと内側表面シート２ｂの２重構造部からなるシート状部材２において、その内側表面シート２ｂの一部分であるおむつ装着部分の内部には、例えばポリエチレンフィルムなどの不透水性の内部シート１４が内装されている。一方、内側表面シート２ｂの左右外縁部の一部分には、外側表面シート２ａが縫合されていない開口状のスリット１５Ｌ、１５Ｒに形成されている。
【００２８】
さらに臀側部分７の左右両側の外縁部は、ゴム紐からなる弾性材を取り付けて伸縮可能な伸縮部１６Ｌ、１６Ｒに形成されている。
【００２９】
このおむつカバー１をペットに装着する際には、ペットの肌に面する内側表面シート２ｂに吸水性ポリマーを内包する女性の生理用ナプキンからなる吸水性シート１７を取り付ける。この取付けは吸水性シート１７に粘着シートが付着している場合は、この粘着シートで吸水性シート１７を内側表面シート２ｂに固着する。一方、吸水性シート１７にずれ防止用の羽が付属している場合は、スリット１５Ｌ、１５Ｒに吸水性シート１７の羽根を差し込んで吸水性シート１７を内側表面シート２ｂに取り付ける。このおむつカバー１をペットに装着する場合、図４に示すように、はじめに胴ベルト連結部９ａ、９ｂによってペットの背側で連結することによりペットの胴回りにおむつカバー１を固定する。次に、図５の（ａ）、（ｂ）に示すように、尻尾を尻尾挿通孔６に挿通し、胴ベルト連結部１０ａ、１０ｂに背側連結部１１ａ、１１ｂを当接して胴ベルト８の背側と背側部分５を連結する。これにより臀側部分７の左右の側縁によってペットの後ろ脚用の脚抜き穴が形成される。最後に、図５の（ｃ）に示すように、背側連結部１２ａ、１２ｂに肩ベルト連結部１３ａ、１３ｂを当接して肩ベルト３ａ、３ｂと背側部分５を連結する。このとき肩ベルト３ａ、３ｂを背面で交差させてから連結する。図３に示すように、ペットへの装着は仕上がる。
【００３０】
おむつである吸水性シート１７を交換する際は、この取付けと反対の作業により左右の肩ベルト連結部１３ａ、１３ｂをはずし、次いで背側部分連結部１１ａ、１１ｂをはずして腹側部分４に緩みを持たせて尿で膨潤したおむつの吸水性シート１７を取り出し新しい吸水性シート１７を装着して交換するものとする。
【００３１】
ペットの日常の動きを妨げないために、おむつカバー１のシート状部材２の外側表面シート２ａと内側表面シート２ｂの素材には、綿ジャージなどの伸縮性があり、厚すぎない素材を用いることが好ましい。
【図面の簡単な説明】
【００３２】
【図１】考案に係るおむつカバーの外側表面を模式的に示す平面図である。
【図２】図１のおむつカバーの内側表面を模式的に示す平面図で、（ａ）はおむつカバーのみを示し、（ｂ）はおむつの吸水性シートを装着した状態を示す図である。
【図３】ペットの犬へ装着した状態を示す図である。
【図４】おむつ交換のために肩ベルト連結部および背側連結部をはずした状態を示す図である。
【図５】ペットの背側から見た装着説明図で、（ａ）は胴ベルトを結合した図で、（ｂ）は背側部分を係止した図で、（ｃ）は肩ベルト連結部を係止して装着を終了した状態を示す図である。
【符号の説明】
【００３３】
１  おむつカバー
２  シート状部材
２ａ  外側表面シート
２ｂ  内側表面シート
３ａ  肩ベルト
３ｂ  肩ベルト
４  腹側部分
５  背側部分
６  尻尾挿通孔
７  臀側部分
８  胴ベルト
９ａ  胴ベルト連結部
９ｂ  胴ベルト連結部
１０ａ  胴ベルト連結部
１０ｂ  胴ベルト連結部
１１ａ  背側部分連結部
１１ｂ  背側部分連結部
１２ａ  背側部分連結部
１２ｂ  背側部分連結部
１３ａ  肩ベルト連結部
１３ｂ  肩ベルト連結部
１４  内部シート
１５Ｌ  スリット
１５Ｒ  スリット
１６Ｌ  伸縮部
１６Ｒ  伸縮部
１７  吸水性シート
【図１】
0003120378.tif 000003
【図２】
0003120378.tif 000004
【図３】
0003120378.tif 000005
【図４】
0003120378.tif 000006
【図５】
0003120378.tif 000007